(57)【要約】【課題】屋根の梁に対して棟木支持具の支持脚部を鉛直方向に初心作業者でも簡単且つ確実に取付けでき、しかも調節作業等の手間を不要にして作業時間を短縮できる棟木支持具用直立施工具を新たに提供する。【解決手段】棟木Ｍを支持固定する棟木受け体Ｓ１と、該棟木受け体Ｓ１に連結される支持脚部Ｓ２とよりなる棟木支持具Ｓを、屋根の梁Ｈに対して前記支持脚部Ｓ２を鉛直方向に確実に取付けるための棟木支持具用直立施工具Ａであって、野地板Ｎ等の棟部に固定可能な取付部１１を設けた取付基台１に、前記支持脚部Ｓ２を鉛直方向に向けて誘導する誘導開口直立筒部２を設けてなる。【選択図】図１
2009084970.tif 000002
【特許請求の範囲】
【請求項１】
棟木を支持固定する棟木受け体と、該棟木受け体に連結される支持脚部とよりなる棟木支持具を、屋根の梁に対して前記支持脚部を鉛直方向に確実に取付けるための棟木支持具用直立施工具であって、
野地板等の棟部に固定可能な取付部を設けた取付基台に、前記支持脚部を鉛直方向に向けて誘導する誘導開口直立筒部を設けたことを特徴とする棟木支持具用直立施工具。
【請求項２】
請求項１において、
支持脚部の先端にネジ部を設けると共に、前記ネジ部が誘導開口直立筒部に螺合して固定可能にしている棟木支持具用直立施工具。
【発明の詳細な説明】
【技術分野】
【０００１】
本発明は、棟木を支持固定する棟木受け体と、該棟木受け体に連結される支持脚部とよりなる棟木支持具を、屋根の梁に対して前記支持脚部を鉛直方向に確実に取付けるための棟木支持具用直立施工具に関する。
【背景技術】
【０００２】
従来より、棟を構築する棟木を支持固定するため、様々な種類の棟木支持具が用いられており、例えば、棟木を支持固定する棟木受け体と、該棟木受け体に連結される支持脚部とよりなる棟木支持具は公知である（例えば、特許文献１参照。）。
【０００３】
この棟木支持具は、棟に設置された梁等に、前記支持脚部の先端に形成したネジ部をネジ込むと共に、基端（上端）の棟木受け体の高さ及び方向を調整しながら鉛直方向に固定し、更に、前記梁の長手方向に向けて適宜間隔をあけて、複数の前記棟木支持具を同一線状に向けて固定する。
【０００４】
そして、これら複数の棟木支持具の棟木受け体に棟木を架設し、前記棟木受け体の側方から釘等を棟木に打ち込んで、該棟木を棟木受け体に順次固定する。
【０００５】
最後に、固定した棟木の上方に棟瓦を被せたうえで、該棟瓦の上方から釘等を棟木に打ち込んで、前記棟瓦を固定し、棟を構築するのである。
【特許文献１】特開２００１−３４２７１２号
【発明の開示】
【発明が解決しようとする課題】
【０００６】
しかしながら、従来の棟木支持具には、以下の問題があった。
【０００７】
すなわち、従来の何れの棟木支持具も、梁等に固定される複数の棟木受け体が鉛直方向に固定されていなければ、これら複数の棟木受け体に架設される棟木を一方向水平に確実に支持することができない。
【０００８】
一方、前記棟木受け体は、支持脚部の先端のネジ部を梁等にネジ込んだり、或いは、先端の釘部を打ち込みながら、棟木支持具を鉛直方向に維持しながら固定するのであるが、複数の支持脚部を全て鉛直方向に維持しながら固定することは熟練作業者であっても困難な作業であり、実際には、梁等に一旦固定した後の複数の支持脚部を、再度鉛直方向に向けて調節するなどの手間を要し、作業時間がかかるものであった。
【０００９】
そのため、熟練作業者だけでなく、初心作業者でも屋根の梁に対して容易に前記支持脚部を鉛直方向に確実に取付けできると共に、調節作業等の手間を簡易にできるものが要望されていた。
【００１０】
本発明は、かかる課題を解決することを目的とするもので、屋根の梁に対して棟木支持具の支持脚部を鉛直方向に初心作業者でも簡単且つ確実に取付けでき、しかも調節作業等の手間を不要にして作業時間を短縮できる棟木支持具用直立施工具を新たに提供するものである。
【課題を解決するための手段】
【００１１】
上記目的を達成するため、
請求項１に係る棟木支持具用直立施工具は、棟木を支持固定する棟木受け体と、該棟木受け体に連結される支持脚部とよりなる棟木支持具を、屋根の梁に対して前記支持脚部を鉛直方向に確実に取付けるものであって、野地板等の棟部に固定可能な取付部を設けた取付基台に、前記支持脚部を鉛直方向に向けて誘導する誘導開口直立筒部を設けたことを特徴とする。
【００１２】
請求項２に係る棟木支持具用直立施工具は、請求項１において、支持脚部の先端にネジ部を設けると共に、前記ネジ部が誘導開口直立筒部に螺合して固定可能にしている。
【発明の効果】
【００１３】
本発明によれば、次のような効果がある。
請求項１に係る棟木支持具用直立施工具によれば、取付基台に設けた誘導開口直立筒部に支持脚部を差し込むだけで、この支持脚部が鉛直方向に誘導することができ、初心作業者でも簡単且つ確実に支持脚部を鉛直方向に取付けできるため、調節作業等の手間を不要にして作業時間を短縮できる。
【００１４】
請求項２に係る棟木支持具用直立施工具によれば、支持脚部の先端にネジ部を設けると共に、前記ネジ部が誘導開口直立筒部に螺合して固定可能にしているので、前記支持脚部のネジ部を誘導開口直立筒部に螺合するだけで、支持脚部を梁に対して容易に鉛直方向に取付けできると共に、支持脚部を梁に打ち込む必要がなく、支持脚部を小型化でき、作業時間を更に短縮できる。
【発明を実施するための最良の形態】
【００１５】
以下、本発明に係る棟木支持具用直立施工具を図面とともに説明する。
【実施例１】
【００１６】
図１は、本発明に係る棟木支持具用直立施工具Ａの一実施例を示す斜視図であり、図２は、図１で示した棟木支持具用直立施工具Ａの施工状態を示す拡大断面図である。
【００１７】
この棟木支持具用直立施工具Ａは、棟木Ｍを支持固定する棟木受け体Ｓ１と、該棟木受け体Ｓ１に連結される支持脚部Ｓ２とよりなる棟木支持具Ｓを、屋根Ｙの梁Ｈに対して支持脚部Ｓ２を鉛直方向に確実に取付けるためのものであって、野地板Ｎ等の棟部に固定可能な取付部１１を設けた取付基台１に、支持脚部Ｓ２を鉛直方向に向けて誘導する誘導開口直立筒部２を設けたことを特徴とする。
【００１８】
取付基台１は、野地板Ｎ等の形状に応じて金属板を折曲形成したり、又は、樹脂板を一体形成してなる。
【００１９】
本実施例では、金属板を折曲形成した取付基台１を例示しており、具体的には、下方に向けて開放した断面略凹状に基台本体１’を形成すると共に、この基台本体１’の両側端には、棟側の野地板Ｎ等に密接して載置される一対の取付部１１を延設して取付基台１を折曲形成してなる。
【００２０】
又、取付部１１の適所には、該取付部１１を野地板Ｎ等に釘、ネジ等の取付具Ｋで固定するための複数の取付孔１１ａを開設している。
【００２１】
この取付基台１における水平面、すなわち、基台本体１’の閉止片１ａの略中央には、該閉止片１ａに直交された誘導開口直立筒部２を設けている。
【００２２】
ここで、誘導開口直立筒部２とは、支持脚部Ｓ２を鉛直方向に向けて誘導可能な部材の総称であり、本実施例では、支持脚部Ｓ２の外径と略同径の内径２１を有する筒状の誘導開口直立筒部２を例示している。
【００２３】
なお、支持脚部Ｓ２の先端は、タッピングネジのようなネジ込み式に限らず、釘等のような打ち込み式のものでも構わない。
【００２４】
又、支持脚部Ｓ２を鉛直方向に向けて誘導可能であれば、本実施例のような筒状の誘導開口直立筒部２に限定されず、例えば、閉止片１ａの略中央に支持脚部Ｓ２の外径と略同径の筒状の孔部（不図示）を単に開設して形成した誘導開口直立筒部２でも良く、或いは、前記孔部（不図示）から閉止片１ａの端縁に向けて更に支持脚部Ｓ２が誘導される切り欠き溝（不図示）を連通して形成した誘導開口直立筒部２でも構わない。
【００２５】
もっとも、本実施例のような筒状の誘導開口直立筒部２であれば、支持脚部Ｓ２との接触部分が多いため、支持脚部Ｓ２を誘導開口直立筒部２における内径２１の軸心方向、すなわち、鉛直方向に向けて確実に誘導できる。
【００２６】
なお、誘導開口直立筒部２の内径２１下端の閉止片１ａは、該内径２１と同径に貫通させておくことが望ましい。
【００２７】
このように構成した本発明の棟木支持具用直立施工具Ａは、以下のように使用する。
【００２８】
すなわち、野地板Ｎ等の棟部に棟木支持具用直立施工具Ａの取付部１１を載置し、取付孔１１ａに釘、ネジ等の取付具Ｋを打設、又はネジ込んで、取付部１１を野地板Ｎ等の棟部に固着する。
【００２９】
この固着によって、取付基台１の閉止片１ａが同時に水平に維持されると共に、この閉止片１ａに立設する誘導開口直立筒部２も鉛直方向に向けて維持される。
【００３０】
なお、前記固着作業の際、閉止片１ａの上面に水平器（不図示）などを載置して閉止片１ａの水平度合いを確認しながら固着するのが好ましい。
【００３１】
そして、誘導開口直立筒部２が確実に鉛直方向に向けて維持した後、この誘導開口直立筒部２の内径２１に向けて上方から棟木支持具Ｓの支持脚部Ｓ２を貫通すれば、支持脚部Ｓ２が内径２１に誘導されながら鉛直方向に向けて内径２１を貫通する。
【００３２】
やがて、支持脚部Ｓ２の先端は、野地板Ｎ等の下位にある梁Ｈに当接するので、支持脚部Ｓ２をそのまま梁Ｈにネジ込んだり、又は、打ち込んだりすれば、支持脚部Ｓ２が鉛直方向に向けて確実に固着される。
【００３３】
又、前記と同様にして、梁Ｈの長手方向に向けて適宜間隔をあけて、棟木支持具用直立施工具Ａを固着したうえで、複数の棟木支持具Ｓの支持脚部Ｓ２を鉛直方向に向けて固定する。
【００３４】
そして、このように同一線上に配置された複数の棟木支持具Ｓの棟木受け体Ｓ１に棟木Ｍを架設し、棟木受け体Ｓ１の側方から釘（不図示）等を棟木Ｍに打ち込んで、棟木Ｍを棟木受け体Ｓ１に順次固定する。
【００３５】
最後に、固定した棟木Ｍの上方に棟瓦Ｎを被せたうえで、該棟瓦Ｎの上方から釘等（不図示）を棟木Ｍに打ち込んで、棟瓦Ｎを固定し、棟を構築するのである。
【００３６】
このように本発明の棟木支持具用直立施工具Ａによれば、取付基台１に設けた誘導開口直立筒部２に支持脚部Ｓ２を差し込むだけで、この支持脚部Ｓ２が鉛直方向に誘導することができ、初心作業者でも簡単且つ確実に支持脚部Ｓ２を鉛直方向に取付けできるため、支持脚部Ｓ２の調節作業等の手間を不要にして作業時間を短縮できるのである。
【００３７】
ここで、本実施例では、金属板を折曲形成した棟木支持具用直立施工具Ａを例示したが、材質には限定されず、例えば、樹脂材料で棟木支持具用直立施工具Ａを形成しても構わない。
【実施例２】
【００３８】
図３（ａ）、（ｂ）は、本発明に係る棟木支持具用直立施工具Ａの他の実施例を示す斜視図であり、図３（ａ）は、取付基台１に１つの誘導開口直立筒部２を設けたものを示し、図３（ｂ）は、取付基台１に複数の誘導開口直立筒部２を設けたものを示している。
【００３９】
ここで、図１、図２と共通する部位には、同一の符号を付して、その説明を省略し、以下では、本実施例の特徴についてのみ説明する。
【００４０】
本実施例で示した棟木支持具用直立施工具Ａは、支持脚部Ｓ２の先端にネジ部Ｓ２１を設けると共に、このネジ部Ｓ２１が誘導開口直立筒部２に螺合して固定可能にしたものを示している。
【００４１】
すなわち、本実施例では、支持脚部Ｓ２を、図２で示した梁Ｈに直接固着するのではなく、本発明の棟木支持具用直立施工具Ａに直接固着するものである。
【００４２】
具体的には、支持脚部Ｓ２の先端にネジ部Ｓ２１を設けるが、このネジ部Ｓ１としては、ボルト等の一般ネジだけでなく、タッピングネジを形成しても構わない。
【００４３】
例えば、ネジ部Ｓ２１として一般ネジを形成した場合には、誘導開口直立筒部２の内面に前記一般ネジに螺合可能なネジ溝（不図示）を形成しておき、支持脚部Ｓのネジ部Ｓ２１を前記ネジ溝（不図示）に螺合すれば、誘導開口直立筒部２に誘導されながら支持脚部Ｓ２が鉛直方向に向けて誘導開口直立筒部２と確実に固着できる。
【００４４】
又、本実施例で示すようにネジ部Ｓ２１としてタッピングネジを形成した場合には、誘導開口直立筒部２を前記タッピングネジのネジ山よりも僅かに小さな開孔に形成しておき、この誘導開口直立筒部２を切削しながら前記タッピングネジをネジ込めば、誘導開口直立筒部２に誘導されながら支持脚部Ｓ２が鉛直方向に向けて誘導開口直立筒部２と確実に固着できる。
【００４５】
このように本発明の棟木支持具用直立施工具Ａによれば、支持脚部Ｓ２のネジ部Ｓ２１を誘導開口直立筒部２に螺合するだけで、支持脚部Ｓ２を鉛直方向に取付けできると共に、支持脚部Ｓ２を梁Ｈに打ち込む必要がなく、支持脚部Ｓ２を小型化でき、作業時間を更に短縮できるのである。
【図面の簡単な説明】
【００４６】
【図１】本発明に係る棟木支持具用直立施工具Ａの一実施例を示す斜視図である。
【図２】図１で示した棟木支持具用直立施工具Ａの施工状態を示す拡大断面図である。
【図３】（ａ）、（ｂ）は、本発明に係る棟木支持具用直立施工具Ａの他の実施例を示す斜視図である。
【符号の説明】
【００４７】
Ａ      棟木支持具用直立施工具
Ｍ      棟木
Ｎ      野地板
Ｈ      梁
Ｓ      棟木支持具
Ｓ１    棟木受け体
Ｓ２    支持脚部
Ｓ２１  ネジ部
１      取付基台
１１    取付部
２      誘導開口直立筒部
【図１】
2009084970.tif 000003
【図２】
2009084970.tif 000004
【図３】
2009084970.tif 000005
【手続補正書】
【提出日】平成20年6月11日(2008.6.11)
【手続補正１】
【補正対象書類名】明細書
【補正対象項目名】００１３
【補正方法】変更
【補正の内容】
【００１３】
本発明によれば、次のような効果がある。
請求項１に係る棟木支持具用直立施工具によれば、取付基台に設けた誘導開口直立筒部に支持脚部を差し込むだけで、この支持脚部を鉛直方向に誘導することができ、初心作業者でも簡単且つ確実に支持脚部を鉛直方向に取付けできるため、調節作業等の手間を不要にして作業時間を短縮できる。
【手続補正２】
【補正対象書類名】明細書
【補正対象項目名】００１７
【補正方法】変更
【補正の内容】
【００１７】
この棟木支持具用直立施工具Ａは、棟木Ｍを支持固定する棟木受け体Ｓ１と、該棟木受け体Ｓ１に連設された支持脚部Ｓ２とよりなる棟木支持具Ｓを、屋根Ｙの梁Ｈに対して支持脚部Ｓ２を鉛直方向に確実に取付けるためのものであって、野地板Ｎ等の棟部に固定可能な取付部１１を設けた取付基台１に、支持脚部Ｓ２を鉛直方向に向けて誘導する誘導開口直立筒部２を設けたことを特徴とする。
【手続補正３】
【補正対象書類名】明細書
【補正対象項目名】００２１
【補正方法】変更
【補正の内容】
【００２１】
この取付基台１における水平面、すなわち、基台本体１’の閉止片１ａの略中央には、該閉止片１ａに鉛直方向に直立した誘導開口直立筒部２を設けている。
【手続補正４】
【補正対象書類名】明細書
【補正対象項目名】００３１
【補正方法】変更
【補正の内容】
【００３１】
そして、誘導開口直立筒部２を確実に鉛直方向に向けて維持した後、この誘導開口直立筒部２の内径２１に向けて上方から棟木支持具Ｓの支持脚部Ｓ２を貫通すれば、支持脚部Ｓ２が内径２１に誘導されながら鉛直方向に向けて内径２１を貫通する。
【手続補正５】
【補正対象書類名】明細書
【補正対象項目名】００３５
【補正方法】変更
【補正の内容】
【００３５】
最後に、固定した棟木Ｍの上方に棟瓦Ｏを被せたうえで、該棟瓦Ｏの上方から釘等（不図示）を棟木Ｍに打ち込んで、棟瓦Ｏを固定し、棟を構築するのである。
【手続補正６】
【補正対象書類名】明細書
【補正対象項目名】００３６
【補正方法】変更
【補正の内容】
【００３６】
このように本発明の棟木支持具用直立施工具Ａによれば、取付基台１に設けた誘導開口直立筒部２に支持脚部Ｓ２を差し込むだけで、この支持脚部Ｓ２を鉛直方向に誘導することができ、初心作業者でも簡単且つ確実に支持脚部Ｓ２を鉛直方向に取付けできるため、支持脚部Ｓ２の調節作業等の手間を不要にして作業時間を短縮できるのである。
【手続補正７】
【補正対象書類名】明細書
【補正対象項目名】００４２
【補正方法】変更
【補正の内容】
【００４２】
具体的には、支持脚部Ｓ２の先端にネジ部Ｓ２１を設けるが、このネジ部Ｓ２１としては、ボルト等の一般ネジだけでなく、タッピングネジを形成しても構わない。
【手続補正８】
【補正対象書類名】明細書
【補正対象項目名】００４３
【補正方法】変更
【補正の内容】
【００４３】
例えば、ネジ部Ｓ２１として一般ネジを形成した場合には、誘導開口直立筒部２の内面に前記一般ネジに螺合可能なネジ溝（不図示）を形成しておき、支持脚部Ｓ２のネジ部Ｓ２１を前記ネジ溝（不図示）に螺合すれば、誘導開口直立筒部２に誘導されながら支持脚部Ｓ２が鉛直方向に向けて誘導開口直立筒部２と確実に固着できる。
【手続補正９】
【補正対象書類名】図面
【補正対象項目名】図２
【補正方法】変更
【補正の内容】
【図２】
2009084970.tif 000006